(57)【要約】【課題】プレファンの機枠への着脱作業を容易に行うとともに、組立性及びメンテナンス性の向上を図ることができるコンバインの選別部を提供する。【解決手段】脱穀後の処理物を揺動選別する揺動選別装置５０と、前記揺動選別装置５０による揺動選別後の処理物を風選別する風選別装置と、前記揺動選別装置５０と前記風選別装置とを取り付ける機枠９１とを備えたコンバイン１の選別部５であって、前記揺動選別後の処理物に選別風を供給するプレファン５２、及び当該プレファン５２を回転自在に支持してその一部を被覆するプレファンケース１０（２１０）をユニット化したプレファンユニット１００（２００）を前記風選別装置に備え、当該プレファンユニット１００（２００）を前記機枠９１に着脱可能とした。【選択図】図３
2011041506.tif 000002
【特許請求の範囲】
【請求項１】
脱穀後の処理物を揺動選別する揺動選別装置と、
前記揺動選別装置による揺動選別後の処理物を風選別する風選別装置と、を備え、
前記揺動選別装置および前記風選別装置を機枠に取り付けるコンバインの選別部であって、
前記揺動選別後の処理物に選別風を供給するプレファン、及び当該プレファンを回転自在に支持してその一部を被覆するプレファンケースをユニット化したプレファンユニットを、前記風選別装置に備え、
前記プレファンユニットを前記機枠に着脱可能としたことを特徴とするコンバインの選別部。
【請求項２】
前記揺動選別後の処理物に選別風を供給する唐箕ファンを、前記風選別装置に備え、
前記プレファンユニットを前記唐箕ファンの前方に位置する前記機枠に当該機枠の側方から着脱可能としたことを特徴とする請求項１に記載のコンバインの選別部。
【請求項３】
前記唐箕ファンの選別風の風路を形成する風路体を、前記プレファンユニットの代わりに、前記機枠に着脱可能としたことを特徴とする請求項１または請求項２に記載のコンバインの選別部。
【発明の詳細な説明】
【技術分野】
【０００１】
本発明は、コンバインの選別部の技術に関し、特に選別風を送風するプレファンの技術に関する。
【背景技術】
【０００２】
従来、風選別装置として唐箕ファンとプレファンとを備え、これらのファンからの選別風により脱穀部で脱穀された処理物を風選別するコンバインの選別部は知られている。
例えば、特許文献１に記載のようなコンバインの選別部においては、唐箕ファンの前方に回転ファン（プレファン）が配置され、回転ファンの上方に上側ファンケース（上側プレファンケース）が配置され、回転ファンの下方から唐箕（唐箕ファン）の上方にかけて下側ファンケース（下側プレファンケース）が配置されている。そして、この回転ファンの選別風が、上側ファンケースと下側ファンケースに案内されて、さらに後方に向かって供給されることで、脱穀後の処理物が風選別されるようになっている。
【先行技術文献】
【特許文献】
【０００３】
【特許文献１】特開２００８−４３２７７号公報
【発明の概要】
【発明が解決しようとする課題】
【０００４】
しかし、特許文献１のようなコンバインの選別部においては、回転ファン、即ち本発明に係るプレファンが機体側（機枠）に一体的に取り付けられていたため、プレファンのみの着脱が困難となっていた。そして、選別部のプレファン周りが複雑であるため、プレファンの組立及びメンテナンスを行う際に、手間がかかるという問題があった。
【０００５】
本発明は係る課題を鑑みてなされたものであり、プレファンの機枠への着脱作業を容易に行うことを可能として、組立性及びメンテナンス性の向上を図ることができるコンバインの選別部を提供することを目的とする。
【課題を解決するための手段】
【０００６】
本発明の解決しようとする課題は以上の如くであり、次にこの課題を解決するための手段を説明する。
【０００７】
即ち、請求項１においては、脱穀後の処理物を揺動選別する揺動選別装置と、前記揺動選別装置による揺動選別後の処理物を風選別する風選別装置と、を備え、前記揺動選別装置および前記風選別装置を機枠に取り付けるコンバインの選別部であって、前記揺動選別後の処理物に選別風を供給するプレファン、及び当該プレファンを回転自在に支持してその一部を被覆するプレファンケースをユニット化したプレファンユニットを、前記風選別装置に備え、前記プレファンユニットを前記機枠に着脱可能としたものである。
【０００８】
請求項２においては、前記揺動選別後の処理物に選別風を供給する唐箕ファンを、前記風選別装置に備え、前記プレファンユニットを前記唐箕ファンの前方に位置する前記機枠に当該機枠の側方から着脱可能としたものである。
【０００９】
請求項３においては、前記唐箕ファンの選別風の風路を形成する風路体を、前記プレファンユニットの代わりに、前記機枠に着脱可能としたものである。
【発明の効果】
【００１０】
本発明の効果として、以下に示すような効果を奏する。
【００１１】
請求項１においては、プレファンの取付部材への着脱作業を容易に行うことが可能となる。したがって、組立性及びメンテナンス性の向上を図ることができる。プレファンを取付部材から容易に取り外して、プレファンのみの機能追加や変更等を容易に行うことが可能となる。したがって、機能追加や変更等を行う際の作業性の向上を図ることができる。
【００１２】
請求項２においては、プレファンユニットの取付部材への着脱作業を機体側方から行うことが可能となる。したがって、プレファンユニットの取付部材への着脱性の向上を図ることができる。
【００１３】
請求項３においては、プレファンユニットと風路体とを選別時の必要に応じて交換することが可能となる。したがって、プレファンに関する風選別装置の仕様変更を容易に行うことが可能となる。
【図面の簡単な説明】
【００１４】
【図１】コンバインの全体的な構成を示す側面図。
【図２】同じく平面図。
【図３】脱穀部及び選別部の構成を示す側面断面図。
【図４】第一実施形態に係るプレファンユニット周りの構造を示す側面断面図。
【図５】同じくプレファンユニットの構造を示す斜視図。
【図６】同じくレール仕組の構成を示す図。（ａ）摺動状態におけるレール仕組を示す斜視図。（ｂ）レール仕組の構成を示す側面図。
【図７】プレファンユニットの引出状態を示す正面図。
【図８】プレファンユニットの摺動状態を示す正面図。
【図９】プレファンユニットの設置状態を示す正面図。
【図１０】第二実施形態に係るプレファンユニット周りの構造を示す側面断面図。
【図１１】同じくプレファンユニットの構造を示す斜視図。
【図１２】同じくレール仕組の構成を示す側断面図。
【図１３】同じくプレファンユニット周りの構成を示す図。（ａ）設置状態におけるプレファンユニットを示す側面図。（ｂ）前方移動させたプレファンユニットを示す側面図。
【図１４】同じくレール仕組の構成を示す図。（ａ）設置状態におけるレール仕組を示す斜視図。（ｂ）摺動状態におけるレール仕組を示す斜視図。
【図１５】風路体周りの構造を示す側面断面図。
【図１６】同じく風路体の構造を示す斜視図。
【発明を実施するための形態】
【００１５】
以下、本発明の実施の形態について、詳細に説明する。
【００１６】
まず、本発明の一実施形態に係る選別部５を備えるコンバイン１の全体構成について説明する。
【００１７】
図１、図２に示すように、コンバイン１には、走行部２、刈取部３、脱穀部４、選別部５、穀粒貯溜部６、排藁処理部７、操縦部８が備えられる。
【００１８】
走行部２は、機体フレーム９の下部に設けられる。走行部２は、左右一対のクローラを有するクローラ式走行装置２１などを有して、機体をクローラ式走行装置２１により前進または後進方向に走行させることができるように構成される。
【００１９】
刈取部３は、機体フレーム９の前端部に機体に対して昇降可能に設けられる。刈取部３は、分草具３１や、引起装置３２や、切断装置３３や、搬送装置３４などを有して、圃場の穀稈を分草具３１により分草し、分草後の穀稈を引起装置３２により引き起こし、引起後の穀稈の株元を切断装置３３により切断し、切断後の穀稈を搬送装置３４により脱穀部４側へ搬送することができるように構成される。
【００２０】
脱穀部４は、機体フレーム９の左側前部に設けられ、刈取部３の後方に配置される。脱穀部４は、フィードチェン４１や、扱胴４３、処理胴４５などを有して、刈取部３から搬送されてくる穀稈をフィードチェン４１により受け継いで排藁処理部７側へ搬送し、搬送中の穀稈を扱胴４３により脱穀し、扱胴４３側からの未処理物を処理胴４５により処理することができるように構成される。
【００２１】
選別部５は、機体フレーム９の左側部に設けられ、脱穀部４の下方に配置される。選別部５は、揺動選別装置５０や、風選別装置や、穀粒搬送装置などを有して、脱穀部４から落下する処理物を揺動選別装置５０により揺動選別し、揺動選別後のものを風選別装置により風選別して藁屑や塵埃などを藁屑排出装置により外部へ排出する一方、穀粒を穀粒搬送装置により穀粒貯溜部６へ搬送することができるように構成される。
【００２２】
穀粒貯溜部６は、機体フレーム９の右側後部に設けられ、脱穀部４および選別部５の右側方に配置される。穀粒貯溜部６は、グレンタンク６１や、穀粒排出装置６２などを有して、選別部５から搬送されてくる穀粒をグレンタンク６１により一時的に貯溜し、貯溜中の穀粒を穀粒排出装置６２によりグレンタンク６１から排出し、更に任意の方向に搬送してから外部へ排出することができるように構成される。
【００２３】
排藁処理部７は、機体フレーム９の左側後部に設けられ、脱穀部４の後方に配置される。排藁処理部７は、排藁搬送装置７１や、排藁切断装置７２などを有して、脱穀部４からの脱穀済みの穀稈を排藁として排藁搬送装置７１により受け継いで外部へ排出する。または、排藁切断装置７２へ搬送し、搬送後の排藁を排藁切断装置７２により切断してから外部へ排出することができるように構成される。
【００２４】
排藁処理部７では、各装置を覆い支持するケース７０の右側前部が、機体の後部に上下方向の回動支点を中心として図２における両矢印Ａ１の方向に回動自在に支持される。このケース７０は、その左側前部に設けられたロック装置によりロックされて、脱穀部４に連続した状態に保持される。そして、ケース７０は、前記ロック装置によるロックが解除されることによって、脱穀部４および選別部５の後側を外部に露出させるように、前記回動支点を中心として後方へ向けて回動可能とされる。
【００２５】
操縦部８は、機体フレーム９の右側前部に設けられ、刈取部３の搬送装置３４の右側方であって穀粒貯溜部６の前方に配置される。操縦部８は、操縦席８１や、ステアリングハンドル８２を含む操作具類、キャビン８３などを有して、操縦席８１や操作具類などをキャビン８３により覆い、操縦席８１に操縦者を着座させ、操作具類により操縦者が各部の装置を操作することができるように構成される。
【００２６】
このようにして、コンバイン１は、操縦部８での操作具類の操作によって、エンジン２２の動力を各部の装置に伝達して、走行部２にて機体を走行させながら、刈取部３で圃場の穀稈を刈り取り、脱穀部４で刈取部３からの穀稈を脱穀し、選別部５で脱穀部４からの処理物を選別して、穀粒貯溜部６で選別部５からの穀粒を貯溜すると同時に、排藁処理部７で脱穀部４からの排藁を外部へ排出することができるようになっている。
【００２７】
次に、脱穀部４および選別部５の構成について説明する。
【００２８】
図３に示すように、脱穀部４には、フィードチェン４１、扱胴４３、処理胴４５などが備えられる。また、選別部５には、揺動選別装置５０、風選別装置、穀粒搬送装置などが備えられる。
【００２９】
脱穀部４において、扱胴４３は、前端部を面取りした円筒状に形成され、軸心方向を前後方向として扱室４２に配置される。扱胴４３は、扱室４２でその前壁と後壁との間に回転自在に架設された回転支軸に取り付けられ、この回転支軸にエンジン２２からの動力が伝達されることで当該回転支軸と一体的にその前後方向の軸心回りで回転駆動される。扱胴４３の下方には、受網４４が扱胴４３の下半部を覆うように配置される。
【００３０】
処理胴４５は、円筒状に形成され、軸心方向を前後方向として扱胴４３と平行とされて、その右後方で処理室４６に配置される。処理室４６はその前部の左側方に設けられる送塵口を介して扱室４２と連通される。そして、処理胴４５は、処理室４６に前後方向に回転自在に架設された支軸に支持され、この支軸にエンジン２２からの動力が伝達されることで当該支軸と一体的にその前後方向の軸心回りで回転駆動される。処理胴４５の下方には、処理胴網が配置される。
【００３１】
図１から図３に示すように、フィードチェン４１は、扱胴４３の左側方で刈取部３と排藁処理部７との間にわたって配置される。フィードチェン４１は、扱胴４３の左側方でフィードチェンフレーム（図示省略）に設けられた駆動スプロケットや従動スプロケットなどの複数のスプロケット４１ｂに巻回され、その駆動スプロケットにエンジン２２からの動力が伝達されることで回転駆動される。なお、フィードチェン４１及びフィードチェンフレームは、カバー４１ａにより脱穀部４の左側方から覆われている。
【００３２】
ここで、フィードチェンフレームの後部は、機体の後部に上下方向の回動支点４１ｃを中心として図２における両矢印Ａ２の方向に回動自在に支持される。フィードチェンフレームは、その前部に設けられたロック装置によりロックされて、扱胴４３と対向した状態に保持される。そして、フィードチェンフレームは、フィードチェン４１を支持した状態で、前記ロック装置によるロックが解除されることによって、扱胴４３や選別部５の前上側付近を露出させるように、回動支点４１ｃを中心として左側方へ向けて回動可能とされる。
【００３３】
選別部５において、揺動選別装置５０には、揺動選別装置本体５０ａ、前フィードパン５４、後フィードパン５５、チャフシーブ５６、グレンシーブ５７、ストローラック５８が備えられる。
【００３４】
揺動選別装置本体５０ａは、平面視で矩形枠状に形成される。揺動選別装置本体５０ａは、その長手方向を前後方向として脱穀部４の扱胴４３および受網４４ならびに処理胴４５および処理胴網の下方に配置され、機体フレーム９上に設けられた左右の下側機枠９１・９１に揺動可能かつ着脱可能に支持される。この揺動選別装置本体５０ａは、揺動機構の揺動軸にエンジン２２からの動力が伝達されることによって、左右の下側機枠９１・９１に対して揺動される。
【００３５】
フィードパンは、前フィードパン５４および後フィードパン５５から構成される。前フィードパン５４は、揺動選別装置本体５０ａ内の前部で脱穀部４の扱胴４３および受網４４の下方に配置される。さらに前フィードパン５４は、その下部に設けられた支持部材５４ａ及び揺動選別装置５０の側板により支持されている。後フィードパン５５は、揺動選別装置本体５０ａ内の前部で前フィードパン５４の後下方に当該前フィードパン５４と所定間隔をおいて配置される。
【００３６】
チャフシーブ５６は、揺動選別装置本体５０ａ内の前後中途部に設けられ、脱穀部４の扱胴４３および受網４４の後部下方ならびに処理胴４５および処理胴網の下方であって、前フィードパン５４の後方に配置される。このチャフシーブ５６は、その開度が排藁量に応じて調節されるように構成される。
【００３７】
グレンシーブ５７は、揺動選別装置本体５０ａ内の前後中途部に設けられ、チャフシーブ５６の下方に配置される。ストローラック５８は、揺動選別装置本体５０ａ内の後部に設けられ、チャフシーブ５６の後方であってグレンシーブ５７の後上方に配置される。
【００３８】
風選別装置には、唐箕ファン５１、吸引ファン５９、プレファン５２、およびセカンドファン５３が備えられる。ここで、唐箕ファン５１、吸引ファン５９、プレファン５２、およびセカンドファン５３は、揺動選別装置５０の下方で左右の下側機枠９１・９１の左右内側に配置される。そして、これらのファン５１・５９・５２・５３に対して、揺動選別装置５０が左右の下側機枠９１・９１に沿って前後方向に摺動可能とされる。
【００３９】
唐箕ファン５１は、左右の下側機枠９１・９１の前部に左右方向に横設され、前フィードパン５４の後部の下方に配置される。吸引ファン５９は下側機枠９１の上部に配置された左右の上側機枠９２・９２の後端部内側で左右方向に横設され、ストローラック５８の上方に配置される。そして、唐箕ファン５１および吸引ファン５９は、その回転軸５１ａ・５９ａにエンジン２２からの動力が伝達されることで回転し、選別風を発生させるように構成される。
【００４０】
図３および図４に示すように、プレファン５２は、左右の下側機枠９１・９１の前端部付近に左右方向にプレファンケース１０内に横設され（後述する第二実施形態においては、プレファンケース２１０内に横設され）、前フィードパン５４の前部の下方であって、唐箕ファン５１の前上方に配置される。セカンドファン５３は、左右の下側機枠９１・９１の前後中途部の底部に左右方向に横設され、後述する穀粒搬送装置の一番搬送装置１５１と二番搬送装置１５２との間に配置される。そして、プレファン５２およびセカンドファン５３は、その回転軸５２ａ・５３ａにエンジン２２からの動力が伝達されることで回転し、選別風を発生させるように構成される。
【００４１】
穀粒搬送装置には、一番搬送装置１５１、二番搬送装置１５２、一番揚穀装置１５５、二番還元装置１５６が備えられる。一番搬送装置１５１は、左右の下側機枠９１・９１の底部で左右方向に横設され、唐箕ファン５１の後方であってチャフシーブ５６およびグレンシーブ５７の下方に配置される。二番搬送装置１５２は、左右の下側機枠９１・９１の底部で左右方向に横設され、一番搬送装置１５１およびセカンドファン５３の後方であって、ストローラック５８の下方に配置される。
【００４２】
一番揚穀装置１５５は、右側の下側機枠９１の外側に上下方向に立設され、一番搬送装置１５１の右端部と接続されるとともに、穀粒貯溜部６のグレンタンク６１（図１参照）と接続される。二番還元装置１５６は、右側の下側機枠９１の外側に前後方向に斜設され、二番搬送装置１５２の右端部と接続されるとともに、脱穀部４の扱室４２または揺動選別装置５０の上方の空間に接続される。
【００４３】
このような構成において、脱穀作業および選別作業が行われる際、脱穀部４では、刈取部３からの穀稈がその株元でフィードチェン４１により受け継がれ、排藁処理部７側へ搬送される。この搬送中の穀稈の穂先部が扱胴４３により脱穀され、その穀粒や藁屑や塵埃を含む処理物が選別部５へ落下する過程で受網４４により選別される。扱胴４３により脱穀されなかった未処理物は、扱室４２から送塵口を介して処理室４６に搬送されて、処理胴４５により処理され、その処理物が選別部５へ落下する過程で処理胴網により選別される。
【００４４】
選別部５では、揺動選別装置本体５０ａが揺動機構により揺動されている状態で、脱穀部４の受網４４から落下した処理物の層が前後フィードパン５４・５５により均平化されて、処理物が比重選別される。前フィードパン５４による選別後のものがチャフシーブ５６により粗選別される。後フィードパン５５による選別後のものがグレンシーブ５７により選別される。また、脱穀部４の受網４４および処理胴網から落下した処理物がチャフシーブ５６により粗選別される。チャフシーブ５６による選別後のものがグレンシーブ５７と唐箕ファン５１およびプレファン５２からの選別風により精選別される。
【００４５】
チャフシーブ５６およびグレンシーブ５７から落下する穀粒や藁屑などが、唐箕ファン５１およびプレファン５２からの選別風により精選別される。このとき、比重が大きく重い穀粒は、一番物として選別風に逆らって落下し、一番搬送装置１５１に収容される。これよりも比重が小さく軽いものは、唐箕ファン５１およびプレファン５２からの選別風により、さらにはセカンドファン５３からの選別風により二番搬送装置１５２の上方へ向けて飛ばされる。
【００４６】
この飛ばされたものの中でも比較的重いもの、例えば枝梗付穀粒は、二番物として落下し、二番搬送装置１５２に収容される。これを除いたものは、唐箕ファン５１、プレファン５２、およびセカンドファン５３からの選別風によりストローラック５８へ向けてさらに飛ばされる。そのうちの藁屑はストローラック５８によりほぐされる。この藁屑の中にある穀粒は、二番物として落下し、二番搬送装置１５２に収容される。他の塵埃などは、吸引ファン５９により吸引されて、三番口から外部に排出される。
【００４７】
一番物は、一番搬送装置１５１により一番揚穀装置１５５に搬送され、つづいて一番揚穀装置１５５により穀粒貯溜部６のグレンタンク６１に搬送されて、このグレンタンク６１に一時的に貯溜される。二番物は、二番搬送装置１５２により二番還元装置１５６に搬送され、つづいて二番還元装置１５６により脱穀部４の扱室４２または揺動選別装置５０の上方空間へ搬送され、脱穀後にまたは脱穀されずに揺動選別装置５０により再選別される。
【００４８】
次に、唐箕ファン５１およびその周辺の構成について詳細に説明する。
【００４９】
図３及び図４に示すように、唐箕ファン５１は、揺動選別装置５０の前部の下方に配置され、唐箕ファンケース５１ｃに収容される。この唐箕ファンケース５１ｃは左右の下側機枠９１・９１に取り付けられる。そして、唐箕ファンケース５１ｃは、その側部（下側機枠９１）に吸入口を開口し、後部に吐出口５１ｅを開口して、唐箕ファン５１の回転時に、空気が吸入口から内部に導入されるとともに、唐箕ファン５１による選別風が吐出口５１ｅから選別部５の後部へ、即ち選別方向の下手側へ向けて送られるように構成される。さらに、唐箕ファンケース５１ｃの前上部には、前吐出口５１ｆが開口され、唐箕ファン５１による選別風が前吐出口５１ｆから前上方へ向けて送られるように構成される。また、当該前吐出口５１ｆを閉塞するように、左右方向を長手とする閉塞板５１ｈが着脱可能に配置される。詳しくは、唐箕ファンケース５１ｃ上の前吐出口５１ｆ近傍に、側面視凹字状に形成された上下一対の保持部材５１ｇ・５１ｇが左右方向に延設される。当該保持部材５１ｇ・５１ｇは、その溝を前吐出口５１ｆ側に向けて配置される。前記閉塞板５１ｈは、図示しない左下側機枠９１の開口部より挿入可能とされるとともに、保持部材５１ｇ・５１ｇの溝にその両端をガイドされながら、機体左右方向に摺動可能とされる。このような構成において、左下側機枠９１の開口部から閉塞板５１ｈを挿入し、当該閉塞板５１ｈを保持部材５１ｇ・５１ｇに沿って右下側機枠９１に当接するまで右方へ摺動させることで、前吐出口５１ｆを閉塞することができる。また、閉塞板５１ｈを左方へ摺動させ、左下側機枠９１の開口部から取り出すことで、前吐出口５１ｆを開放することができる。
【００５０】
唐箕ファン５１は、回転軸５１ａや複数の羽根体５１ｂ・５１ｂ・・・などで構成される。回転軸５１ａは、軸心方向を左右方向として、その左右両端部で唐箕ファンケース５１ｃの吸入口の一部を遮るように設けられたプレートに軸支される。複数の羽根体５１ｂ・５１ｂ・・・は、それぞれ回転軸５１ａから支持部材５１ｄを介して当該回転軸５１ａの半径方向に放射状に突設される。こうして、唐箕ファン５１は、唐箕ファンケース５１ｃ内で左右方向に横設されて、回転軸５１ａ回りに回転可能とされる。
【００５１】
次に、第一実施形態の選別部５に係るプレファン５２を含むプレファンユニット１００およびその周辺の構成について詳説する。
以下の実施例において、プレファンユニット１００・２００を設置するときは、前記唐箕ファンケース５１ｃの前吐出口５１ｆを閉塞板５１ｈによって閉塞して、唐箕ファンからの選別風を吐出口５１ｅのみから送風することとする。
【００５２】
図４および図５に示すように、プレファンユニット１００は、揺動選別装置５０の前部下方で、唐箕ファン５１の前方に配置され、その後方へと選別風を送風するものである。プレファンユニット１００は、プレファンケース１０、プレファン５２、風向板１４、及びレール仕組１５（レール１６、レール受１７）などから構成される。
【００５３】
プレファンユニット１００においては、プレファン５２がプレファンケース１０に収容され、さらにレール仕組１５がプレファンケース１０に取り付けられる。プレファンケース１０は、左右の下側機枠９１・９１の前上部に取り付けられる。そして、プレファンケース１０は、その前部に吸入口５２ｅを開口し、その後部に吐出口５２ｄを開口して、プレファン５２の回転時に、空気が吸入口５２ｅから当該プレファンケース１０の内部に導入されるとともに、プレファン５２の回転による選別風が吐出口５２ｄから選別部５の後部へ、即ち選別方向の下手側へ向かって送られるように構成される。
【００５４】
プレファンケース１０は、プレファンユニット１００の外郭を成す部材である。プレファンケース１０は、主に上側プレファンケース１１、下側プレファンケース１２、及び側部プレート１３・１３から構成される。
【００５５】
図４、図５および図９に示すように、上側プレファンケース１１は、プレファンケース１０の上部を成す部材である。上側プレファンケース１１は、プレファン５２よりも若干長く、揺動選別装置本体５０ａよりも若干短い左右幅をもつ板状部材からなる。上側プレファンケース１１は、上方の揺動選別装置５０に沿うように略水平または側面視において緩やかに前高後低となるように配置される。
【００５６】
上側プレファンケース１１の左右両端側が上側プレファンケース１１の中央側に対して垂直下方に折り曲げられて、この上側プレファンケース１１の左右両端縁部に、取付部１１ａ・１１ａが形成される。取付部１１ａ・１１ａには、複数の貫装孔がボルト等を利用できるように所定間隔をおいて形成される。
【００５７】
下側プレファンケース１２は、プレファン５２よりも若干長い左右幅であって、上側プレファンケース１１と略一致する左右幅をもつ板状部材からなり、左右の下側機枠９１・９１の前上部から前方に向かって突出するように配置される。下側プレファンケース１２は、プレファン５２の下方を覆うように配置されて、プレファン５２の最外周端の回転軌跡に沿って、側面断面視下部が膨出するように形成される。詳細には、下側プレファンケース１２の前部は側面視において前高後低となるように屈曲され、その後部は略水平となるように形成される。
【００５８】
下側プレファンケース１２の左右両端側が下側プレファンケース１２の中央側に対して垂直上方に折り曲げられて、この下側プレファンケース１２の左右両端縁部に、取付部１２ａ・１２ａが形成される。取付部１２ａ・１２ａには、複数の貫装孔がボルト等を利用できるように所定間隔をおいて形成される。
【００５９】
側部プレート１３は、プレファンケース１０の左右両側部を成す板状の部材である。各側部プレート１３は、プレファン５２の上下高さよりも若干長い上下高さをもつ平板状部材からなり、上側プレファンケース１１及び下側プレファンケース１２の左右両端部の間を閉塞するように配置される。
【００６０】
各側部プレート１３の上端側および後端側が各側部プレート１３の中央側に対して直角で機体外方に向かって折り曲げられて、この各側部プレート１３の上端縁部及び後端縁部に、取付部１３ａ・１３ｂが形成される。左側部プレート１３の取付部１３ａ・１３ｂには、複数の貫装孔がボルト等を利用できるように所定間隔をおいてそれぞれ形成される。
【００６１】
また、側部プレート１３の周囲には、複数の貫装孔が前記上側プレファンケース１１及び下側プレファンケース１２と連結するためのボルト等を貫装することができるように所定間隔をおいて形成される。但し、側部プレート１３と上側プレファンケース１１と下側プレファンケース１２の固定方法は溶接等であってもよく限定するものではない。
【００６２】
風向板１４は、プレファン５２からの選別風を後上方へと導くための板状の部材である。風向板１４は、下側プレファンケース１２の左右幅より若干短くなるように形成される。風向板１４は、側面視において下側プレファンケース１２の水平部の前後中途部から後部にかけて前低後高となるように、前端で下側プレファンケース１２の上面（内側）に固着される。
【００６３】
上側プレファンケース１１、風向板１４が固設された下側プレファンケース１２、及び側部プレート１３は、取付部１１ａの貫装孔及び取付部１２ａの貫装孔と、側部プレート１３の周囲の貫装孔とを側面視で一致させた状態で、それぞれの貫装孔にボルトが貫装され、ナットで締結されることによって連結される。こうして、プレファンケース１０が上側プレファンケース１１、下側プレファンケース１２、及び側部プレート１３・１３から略箱枠状に形成される。
【００６４】
また、プレファン５２は、プレファンケース１０に収容され、主として回転軸５２ａ、羽根体５２ｂ及び支持板５２ｃから構成される横断流送風機である。
図５に示すように、プレファン５２の回転軸５２ａは、軸心方向を左右方向として、その左右両端部で側部プレート１３・１３の略中央を貫通し、各側部プレート１３に配置された軸受１３ｄによって回動自在に軸支される。
【００６５】
回転軸５２ａの左端には、プーリ５２ｆが固設される。このプーリ５２ｆには、エンジン２２からの駆動力を伝達するベルト（図示省略）が巻回される。
【００６６】
支持板５２ｃは、回転軸５２ａに固設されて、羽根体５２ｂを支持する円板状の部材である。本実施形態では、三つの支持板５２ｃが、それぞれプレファンケース１０内の左右両側及び左右中途部に位置するように、左右平行に所定間隔をおいて配置される。支持板５２ｃは、その中心を回転軸５２ａが貫通するように、当該回転軸５２ａに相対回転不能に固設される。
【００６７】
図４および図５に示すように、羽根体５２ｂは、左右方向を長手方向とする湾曲させた略板状の部材である。羽根体５２ｂ・５２ｂ・・・は、支持板５２ｃの周方向に適宜の間隔ごとに配置され、それぞれ隣り合う支持板５２ｃ・５２ｃの外周部の間に回転軸５２ａに対して放射状に架設される。
本実施形態においてプレファン５２を前記構成の横断流送風機としているが、ユニットとして着脱可能な構成であれば、限定するものではない。
【００６８】
こうして、エンジン２２からの駆動力がプーリ５２ｆを介して回転軸５２ａに伝達され、この回転軸５２ａが回転可能とされる。そして、この回転軸５２ａにともなって、羽根体５２ｂ・５２ｂ・・・及び各支持板５２ｃが回転軸５２ａを中心に回転されることによって、選別風がプレファン５２から後方へ向けて送風されるように構成される。
【００６９】
次に、図４から図６を用いて、プレファンユニット１００を側方へ引き出す時にガイドとなるレール仕組１５について説明する。
レール仕組１５は、主に、プレファンユニット１００に取り付けられるレール１６と、下側機枠９１に取り付けられるレール受１７から構成され、プレファンユニット１００を下側機枠９１に対して容易に着脱可能とするものである。なお、本実施形態では、レール仕組１５はプレファンユニット１００の下後部と下側機枠９１の前側上下中途部に配設されるが限定するものではなく、例えば、プレファンユニット１００の上部と下側機枠９１の前上部に配設することも可能である。
【００７０】
前記レール１６は、下側プレファンケース１２の後側下面に左右方向に取り付けられる。当該レール１６は、側面視において略逆凹字状に形成されて、左右方向に延長するように構成されている。つまり、レール１６には、前記下側プレファンケース１２に対して略平行な水平部１６ａが形成される。さらに、レール１６には、前垂直部１６ｂ及び後垂直部１６ｃが水平部１６ａの前後両端縁部から下方に突出するように形成される。
【００７１】
レール受１７は、下側機枠９１の前部の上下中途部に固設される。当該レール受１７は、側面視において略凹字状に形成されて、中央の溝に前記レール１６を挿入可能に構成されている。つまり、レール受１７は、帯板を側面視略凹状に折り曲げて形成され、水平部１７ａと、当該水平部１７ａの前側と後側から延出した前板部１７ｂ及び後板部１７ｃとから形成されている。この後板部１７ｃの後面が下側機枠９１に固定される。
前記前板部１７ｂと後板部１７ｃとの隙間の前後幅は、前記レール１６の水平部１６ａの前後幅よりも若干長く設定されている。さらに、前後板部１７ｂ・１７ｃの内高さは、前後垂直部１６ｂ・１６ｃの高さより若干短く設定されている。
【００７２】
このような構成において、作業者が選別部５の左側方において、プレファンユニット１００を機体側、即ち下側機枠９１に取り付ける場合には、レール１６をレール受１７の溝に挿入して、レール１６をレール受１７に沿って摺動させながら、プレファンユニット１００を取付位置まで右方向へ移動させる。逆に、プレファンユニット１００を下側機枠９１から取り外す場合には、レール１６をレール受１７に沿って摺動させながら、プレファンユニット１００を取付位置から左方向へ移動させる。
【００７３】
このとき、レール１６の前垂直部１６ｂの前面および後垂直部１６ｃの後面は、前板部１７ｂの後面および後板部１７ｃの前面によってガイドされる。そのため、レール１６をレール受１７に沿って摺動させるときには、前後方向が規制されて、プレファンユニット１００が着脱する途中で外れることがなくなる。また、プレファンユニット１００を所定の位置に容易に移動させることができる。
【００７４】
なお、前記レール１６と当該レール１６を挿入するレール受１７の形状は限定するもではなく、プレファンユニット１００の位置決めと着脱時のガイドをできる形状であればよい。
【００７５】
以下に、第一実施形態に係るプレファンユニット１００の着脱方法について説明する。
作業者は、選別部５の左側方においてプレファンユニット１００の着脱作業を行う。作業者は、プレファンユニット１００を下側機枠９１に対して着脱するまえに、図２に示すように、フィードチェン４１を回動支点４１ｃを中心として左側方へ向けて回動させ、扱胴４３や選別部５の前上側付近を露出させるようにしておく。
【００７６】
先ずは、プレファンユニット１００の取り付け方法について説明する。
作業者は、図７に示すプレファンユニット１００が下側機枠９１から分離された状態において、図６の（ａ）に示す、レール１６の前後垂直部１６ｂ・１６ｃの右端を、レール受１７の水平部１７ａの左端に載せる。そして、作業者は、図８に示すようにレール１６をレール受１７上で右方向に摺動させ、図９に示すようにプレファンユニット１００全体を取付位置まで押し込み移動させる。この際、下側機枠９１の前上部の開口部９１ａが、プレファンユニット１００により閉塞されることとなる。
【００７７】
図４及び図５に示すように、作業者は、プレファンユニット１００を、下側機枠９１の前部で取り付け位置まで移動させたあと、前記左側部プレート１３の取付部１３ｂに配置された貫装孔と、下側機枠９１の貫装孔とを正面視において一致させた状態で、貫装孔にボルト等を貫装することによって、下側機枠９１に締結させる。さらに、作業者は、前記左側部プレート１３の取付部１３ａに配置された貫装孔と、下側機枠９１の上部に形成された前方突出部下面９１ｂに形成された貫装孔とを底面視において一致させた状態で、貫装孔にボルト等を貫装させることによって、下側機枠９１とプレファンユニット１００とを締結させる。一方、プレファンユニット１００の右側は、レール仕組１５によって下方から支持されると共に、右側部プレート１３の取付部１３ａ・１３ｂと下側機枠９１の上部に形成された前方突出部下面９１ｂ及び下側機枠９１の前面に当接することで、安定した姿勢に保持される。そして、作業者は、プーリ５２ｆにベルトを巻回させる。これにより、エンジン２２からの動力がプレファン５２に伝達できる状態となって、プレファンユニット１００が下側機枠９１（機体側）に完全に装着された状態となる。
【００７８】
次に、プレファンユニット１００の取り外し方法について説明する。
この取り外し方法は、前記取り付け方法の逆の手順である。つまり、図９に示す状態で、作業者は、プーリ１２ｂに巻回されたベルトを取り外し、下側機枠９１とプレファンユニット１００とを締結しているボルトを全て外す。さらに、図８に示すように、作業者は、レール１６をレール受１７上で左方向に摺動させ、プレファンユニット１００を機体外方へ移動させる。そして、図７に示すように、作業者は、レール１６をレール受１７から分離させる。これにより、プレファンユニット１００が下側機枠９１（機体側）から完全に取り外された状態となる。
【００７９】
以下に、第二実施形態の選別部５に係るプレファンユニット２００およびその周辺の構成について詳説する。なお、第一実施形態と同一の部分については、図面に同一の符号を付し、説明を省略する。
【００８０】
図１０および図１１に示すように、プレファンユニット２００は、第一実施形態と同様に、揺動選別装置５０の前部下方で、唐箕ファン５１の前方に配置され、その後方へと選別風を送風するものである。但し、プレファンユニット２００は、その一部が下側機枠９１内に配置されるように構成される。
【００８１】
プレファンユニット２００においては、プレファン５２がプレファンケース２１０に収容され、さらにプレファンケース２１０がレール仕組２１５に対して前後回動可能に取り付けられる。プレファンケース２１０は、左右の下側機枠９１・９１の前上部に取り付けられ、その後部が下側機枠９１内に臨むように配置される。そして、プレファンケース２１０は、その前部に吸入口２５２ｅを開口し、その後部に吐出口２５２ｄを開口して、プレファン５２の回転時に、空気が吸入口２５２ｅから当該プレファンケース２１０の内部に導入されるとともに、プレファン５２の回転による選別風が吐出口２５２ｄから選別部５の後部へ、即ち選別方向の下手側へ向かって送られるように構成される。
【００８２】
プレファンケース２１０は、プレファンユニット２００の外郭を成す部材である。プレファンケース２１０は、主に上側プレファンケース２１１、下側プレファンケース２１２、及び側部プレート２１３・２１３から構成される。
【００８３】
上側プレファンケース２１１は、プレファンケース２１０の上部を成す部材である。上側プレファンケース２１１は、プレファン５２よりも若干長く、揺動選別装置本体５０ａよりも若干短い左右幅をもつ板状部材からなる。上側プレファンケース２１１は、上方の揺動選別装置５０に沿うように略水平または側面視において緩やかに前高後低後方となるように配置される。
【００８４】
上側プレファンケース２１１の左右両端側が上側プレファンケース２１１の中央側に対して垂直下方に折り曲げられて、この上側プレファンケース２１１の右側両端縁部に、取付部２１１ａ・２１１ａが形成される。取付部２１１ａ・２１１ａには、複数の貫装孔がボルト等を利用できるように所定間隔をおいて形成される。
【００８５】
下側プレファンケース２１２は、プレファン５２よりも若干長い左右幅であって、上側プレファンケース２１１と略一致する左右幅をもつ板状部材からなり、左右の下側機枠９１・９１の前上部に前方および後方に向かって突出するように配置される。下側プレファンケース２１２は、プレファン５２の下方を覆うように配置されて、プレファン５２の最外周端の回転軌跡に沿って、側面断面視下部が膨出するように形成される。この下側プレファンケース２１２は、その前端部が前フィードパン５４の前後中途部の下方に位置し、その後端部が唐箕ファンケース５１ｃの前端部近傍に位置するように、前記形状に屈曲しながら前後方向に延長される。側面視において下側プレファンケース２１２の前部は前高後低となるように形成され、その前後中途部は略水平に形成される。下側プレファンケース２１２の後部は前低後高となるように形成される。こうして、下側プレファンケース２１２の後部が風向部２１４とされ、プレファン５２からの選別風が当該風向部２１４により後上方へと導かれるように構成される。
【００８６】
下側プレファンケース２１２の左右両端側が下側プレファンケース２１２の中央側に対して垂直上方に折り曲げられて、この下側プレファンケース２１２の左右両端縁部に、取付部２１２ａ・２１２ａが形成される。取付部２１２ａ・２１２ａには、複数の貫装孔がボルト等を利用できるように所定間隔をおいて形成される。
【００８７】
各側部プレート２１３は、プレファン５２の上下高さよりも高い平板状部材からなり、上側プレファンケース２１１及び下側プレファンケース２１２の左右両端部の間を閉塞するように配置される。
【００８８】
さらに、側部プレート２１３の後下部には、後述する回動支点軸２１６ｅを貫通させるために、下側プレファンケース２１２よりも下方に突出する突出部２１３ｃが形成される。各側部プレート２１３の上端側および後端側が各側部プレート２１３の中央側に対して直角で機体外方に向って折り曲げられて、この各側部プレート２１３の上端縁部及び後端縁部に、取付部２１３ａ・２１３ｂが形成される。左側部プレート２１３の取付部２１３ａ・２１３ｂには、複数の貫装孔がボルト等を利用できるように所定間隔をおいてそれぞれ形成される。
【００８９】
また、各側部プレート２１３には、複数の貫装孔が前記上側プレファンケース２１１及び下側プレファンケース２１２と連結するためのボルト等を貫装することができるように所定間隔をおいて形成される。但し、側部プレート２１３と上側プレファンケース２１１と下側プレファンケース２１２の固定方法は溶接等であってもよく限定するものではない。
【００９０】
上側プレファンケース２１１、下側プレファンケース２１２、及び側部プレート２１３・２１３は、取付部２１１ａの貫装孔及び取付部２１２ａの貫装孔と、側部プレート２１３の周囲の貫装孔とを側面視で一致させた状態で、それぞれの貫装孔にボルトが貫装され、ナットで締結されることによって連結される。こうして、プレファンケース２１０が上側プレファンケース２１１、下側プレファンケース２１２、及び側部プレート２１３・２１３から略箱枠状に形成される。
【００９１】
また、図１１に示すように、プレファン５２の回転軸５２ａは、軸心方向を左右方向として、その左右両端部で側部プレート２１３・２１３の中央よりも後側を貫通し、各側部プレート２１３に配置された軸受２１３ｄによって回動可能に軸支される。そして、プレファン５２はプレファンケース２１０に収容されたとき、側面視において側部プレート２１３の後端よりも後方に突出するように配置される。
【００９２】
次に、図１０から図１４を用いて、プレファンユニット２００を側方へ引き出すときにガイドとなるレール仕組２１５について説明する。
レール仕組２１５は、主に、プレファンユニット２００に取り付けられるレール２１６と、下側機枠９１に取り付けられるレール受２１７から構成され、当該レール仕組２１５により、プレファンユニット２００を下側機枠９１に対して容易に着脱可能とするものである。
【００９３】
レール２１６は、主に垂直部２１６ａおよび水平部２１６ｂを有するレール部２１６ｆ、左側板２１６ｃ、右側板２１６ｄ、および回動支点軸２１６ｅとで構成される。
【００９４】
前記レール部２１６ｆは、側面視において略逆Ｔ字状に形成して左右方向に延設される。
つまり、レール部２１６ｆは、下側プレファンケース２１２の下面から略垂直に突出され左右方向に延設される垂直部２１６ａと、当該垂直部２１６ａの下部から前後水平で左右方向に延出される水平部２１６ｂから構成される。垂直部２１６ａの上端部は、側面視で前低後高となる傾斜面を有するように形成され、後述するようにプレファンケース２１０が前方に回動したとき、下側プレファンケース２１２を面で支えることが可能とされる。
レール部２１６ｆの左側端に左側板２１６ｃが固定され、レール部２１６ｆの右側端に右側板２１６ｄが固定される。垂直部２１６ａは、突出部２１３ｃと干渉することがないように、左右両端の一部を左右側板２１６ｃ・２１６ｄから所定の左右幅だけ隔てて形成される。
【００９５】
左側板２１６ｃは側面視略台形状の板体で構成される。この左側板２１６ｃの前下部にレール部２１６ｆの左側端が固設され、中央部に回動支点軸２１６ｅの左端が固設され、後側に固定用の貫装孔が所定間隔をおいて形成されている。
右側板２１６ｄは側面視略台形状の板体の下端側をレール受２１７と側面視で干渉しないように切り欠いて形成される。この右側板２１６ｄの前下部にレール部２１６ｆの右端側が固設され、中央部に回動支点軸２１６ｅの右端が固設される。
【００９６】
回動支点軸２１６ｅは、左右方向を軸心方向とする丸棒部材であって、側面視において左側板２１６ｃと右側板２１６ｄの略中央部と、左右の各側部プレート２１３の下方へ突出した突出部２１３ｃ・２１３ｃをそれぞれ貫通する。回動支点軸２１６ｅは、左右側板２１６ｃ・２１６ｄに設けられた軸受（図示省略）によって、左右側板２１６ｃ・２１６ｄに対して回動自在に軸支される。つまり、回動支点軸２１６ｅを介して、プレファンケース２１０およびプレファン５２がレール仕組２１５に対して相対回転可能とされる。
【００９７】
レール受２１７は、下側機枠９１の前部の上下中途部に固設される。当該レール受２１７は、側面視において略凹字状に形成され、中央の溝に前記レール２１６を挿入させる構成としている。つまり、レール受２１７は、帯板を側面視略凹状に折り曲げて形成され、水平部２１７ａと、当該水平部２１７ａの前側と後側から上方へ延出された前板部２１７ｂ及び後板部２１７ｃと、当該前板部２１７ｂの上端から後方へ延出された縁部２１７ｄと、後板部２１７ｃ上端から前方へ延出された縁部２１７ｅを備えて構成される。
前記縁部２１７ｄと縁部２１７ｅとの隙間の前後幅は、前記レール２１６の垂直部２１６ａの前後幅よりも若干長く、前板部２１７ｂと後板部２１７ｃとの間の前後幅は、レール２１６の水平部２１６ｂの前後幅より若干長く設定されている。縁部２１７ｄと縁部２１７ｅの下面と水平部２１７ａの上面との間の上下幅は、レール２１６の水平部２１６ｂの上下幅より若干長く設定されている。
そして、レール受２１７の後板部２１７ｃの後面は下側機枠９１の前面に固着される。
【００９８】
以下に、第二実施形態に係るプレファンユニット２００の着脱方法について説明する。
作業者は、選別部５の左側方においてプレファンユニット２００の着脱作業を行う。作業者は、プレファンユニット２００を下側機枠９１に対して着脱するまえに、図２に示すように、フィードチェン４１を回動支点４１ｃを中心として左側方へ向けて回動させ、扱胴４３や選別部５の前上側付近を露出させるようにしておく。
【００９９】
先ずは、プレファンユニット２００の取り付け方法について説明する。
作業者は、プレファンユニット２００が下側機枠９１から分離された状態において、図１４の（ｂ）に示すように、プレファンユニット２００の下端側に備えられた右側板２１６ｄの下部および水平部２１６ｂの右端部をレール受２１７の左端部の溝に収容させる。このとき、図１２および図１３（ｂ）に示すように、側面視におけるプレファンユニット２００の姿勢は、適正な取付位置よりも前方に傾いている。具体的には、下側プレファンケース２１２の下面が垂直部２１６ａの上端に当接した状態で保持されている。つまり、垂直部２１６ａの上端はプレファンユニット２００の前方への回動を所定角度に保持するためのストッパとなっている。この状態で、図１４に示すように、作業者は、レール２１６の水平部２１６ｂをレール受２１７の水平部２１７ａ上面上で右方へと摺動させて、このレール２１６とともにプレファンユニット２００を取付位置まで移動させる。そして、左側板２１６ｃに配置された貫装孔と、下側機枠９１に配置された貫装孔とを側面視において一致させた状態で、それぞれの貫装孔にボルト等を貫装することで締結させ、プレファンユニット２００が左右方向に摺動不能となる。
【０１００】
つづいて、作業者は、側面視において、前方に傾いた姿勢のプレファンユニット２００を、図１３（ｂ）に示す白抜き矢印の方向に、回動支点軸２１６ｅを中心として回動させて、図１３（ａ）に示す取付姿勢とする。
作業者は、この取付姿勢のプレファンユニット２００を、前記左側部プレート２１３の取付部２１３ｂに配置された貫装孔と、下側機枠９１上の貫装孔とを正面視において一致させた状態で、貫装孔にボルト等を貫装することによって、下側機枠９１に締結させる。さらに、作業者は、プレファンユニット２００を、前記左側部プレート２１３の取付部２１３ａに配置された貫装孔と、下側機枠９１の前方突出部下面９１ｂに配置された貫装孔とを底面視において一致させた状態で、貫装孔にボルト等を貫装させることによって、下側機枠９１に締結させる。よって、下側機枠９１前上部の開口部９１ａは、プレファンユニット２００により閉塞されることとなる。一方、プレファンユニット２００の右側は、レール仕組２１５によって下方から支持されると共に、右側部プレート２１３の取付部２１３ａ・２１３ｂと下側機枠９１の上部に形成された前方突出部下面９１ｂ及び下側機枠９１の前面に当接することで、安定した姿勢に保持される。そして、作業者は、プーリ５２ｆにベルトを巻回させる。これにより、エンジン２２からの動力がプレファン５２に伝達できる状態となって、プレファンユニット２００が下側機枠９１（機体側）に完全に装着された状態となる。
【０１０１】
次に、プレファンユニット２００の取外方法について説明する。
この取り外し方法は、前記取り付け方法の逆の手順である。つまり、作業者は、プーリ１２ｂに巻回されたベルトを取り外し、つづいて下側機枠９１と、プレファンユニット２００を締結しているボルトを全て外す。そして、作業者は、プレファンユニット２００を、図１３（ａ）に示す白抜き矢印の方向に、回動支点軸２１６ｅを中心として回動させて、取付姿勢から図１３（ｂ）における前方に傾いた姿勢とする。
図１４の（ｂ）に示すように、作業者は、レール２１６をレール受２１７上でさらに左方へと摺動させ、プレファンユニット２００を機体外方へ移動させる。そして、作業者は、レール２１６とレール受２１７を分離させる。これにより、プレファンユニット２００が下側機枠９１（機体側）から完全に取り外された状態となる。
【０１０２】
前記レール仕組２１５の構成によって、機体に対してプレファンユニット２００を着脱するときに、プレファンユニット２００を前方に回動させることが可能となる。従って、プレファンユニット２００の一部が側面視で左右の下側機枠９１内に入り込むように配置される場合であっても、プレファンユニット２００を下側機枠９１に対して当該下側機枠９１の左側方から着脱することができる。
【０１０３】
以下に、第三実施形態の選別部５に係る風路体３００およびその周辺の構成について詳説する。なお、第一実施形態と同一の部分については、図面に同一の符号を付し、説明を省略する。
【０１０４】
風路体３００は、第一実施形態に記載のプレファンユニット１００の代わりに、揺動選別装置５０の前部下方で、唐箕ファン５１の前方に配置される。風路体３００は、唐箕ファン５１からの送風の一部を選別風として風路体３００の後方へと送風するものである。図１５及び図１６に示すように、風路体３００は、前側部３１１、側部プレート３１３・３１３、及びレール仕組１５などから構成される。
【０１０５】
前側部３１１は、風路体３００の外郭の一部を成す部材である。前側部３１１は、揺動選別装置本体５０ａよりも若干短い左右幅をもつ板状部材からなり、側面断面視凹状または凹円弧状に形成されて、左右の下側機枠９１・９１の前上部に前方に向かって突出するように取り付けられる。
詳しくは、前側部３１１は、その上部が上方の下側機枠９１に沿うように略水平もしくは側面視において緩やかな前高後低となり、その前後中途部が前方へと突出し、その下部が略水平となるように形成される。
【０１０６】
前側部３１１の左右両端側が前側部３１１の中央側に対して垂直内方に折り曲げられて、この前側部３１１の左右両端縁部に、取付部３１１ａ・３１１ａが形成される。取付部３１１ａ・３１１ａには、複数の貫装孔がボルト等を利用できるように所定間隔をおいて形成される。
【０１０７】
側部プレート３１３は、風路体３００の左右側部を成す板状の部材である。側部プレート３１３・３１３は、側面視において前側部３１１の左右側端部の開放部と略一致して、当該開放部を閉塞するように形成される。
各側部プレート３１３の上端側および後端側が各側部プレート３１３の中央側に対して直角で機体外方に向かって折り曲げられて、この各側部プレート３１３の上端縁部及び後端縁部に、取付部３１３ａ・３１３ｂが形成される。左側部プレート３１３の取付部３１３ａ・３１３ｂには、複数の貫装孔がボルト等を利用できるように所定間隔をおいてそれぞれ形成される。
【０１０８】
また、側部プレート３１３の周囲には、複数の貫装孔が前記前側部３１１と連結するためのボルト等を貫装することができるように所定間隔をおいて形成される。但し、側部プレート３１３と前側部３１１との固定方法は溶接等であってもよく限定するものではない。
【０１０９】
前側部３１１、及び各側部プレート３１３は、取付部３１１ａの貫装孔と、側部プレート３１３の周囲の貫装孔とを側面視で一致させた状態で、それぞれの貫装孔にボルトが貫装されて、ナットで締結されることによって連結される。こうして、風路体３００が前側部３１１、及び側部プレート３１３・３１３から略箱枠状に形成される。
【０１１０】
以下に、第三実施形態に係る風路体３００の着脱方法について説明する。
先ず、作業者は、風路体３００が下側機枠９１から分離された状態（図７参照）において、図６の（ａ）に示す、レール１６の右端の前後垂直部１６ｂ・１６ｃの右端を、レール受１７の水平部１７ａの左端に載せる。そして、作業者は、レール１６をレール受１７上で右方向に摺動させ、風路体３００全体を取付位置まで押し込み移動させる。この際、下側機枠９１の前上部の開口部９１ａが、風路体３００により閉塞されることとなる。
作業者は、風路体３００を下側機枠９１の前部で取り付け位置まで移動させたあと、前記左側部プレート３１３の取付部３１３ｂに配置された貫装孔と、下側機枠９１の貫装孔とを正面視において一致させた状態で、貫装孔にボルト等を貫装することによって、下側機枠９１に締結させる。さらに、作業者は、前記左側部プレート３１３の取付部３１３ａに配置された貫装孔と、下側機枠９１の上部に形成された前方突出部下面９１ｂに形成された貫装孔とを底面視において一致させた状態で、貫装孔にボルト等を貫装させることによって、下側機枠９１と風路体３００とを締結させる。一方、風路体３００の右側は、レール仕組１５によって下方から支持されると共に、右側部プレート３１３の取付部３１３ａ・３１３ｂと下側機枠９１の上部に形成された前方突出部下面９１ｂ及び下側機枠９１の前面に当接することで、安定した姿勢に保持される。これにより、風路体３００が下側機枠９１（機体側）に完全に装着された状態となる。
次に、閉塞板５１ｈを左方へ摺動させ、左下側機枠９１の開口部から取り出す。これにより、前吐出口５１ｆを開放することができる。
【０１１１】
図１５に示すように、このような構成の風路体３００を下側機枠９１に取り付けることによって、唐箕ファン５１による選別風（図１５中の太線矢印）が唐箕ファンケース５１ｃの前上方の前吐出口５１ｆより風路体３００へと向かうこととなる。唐箕ファン５１からの選別風は、風路体３００の下部より風路体３００の前側部３１１に当たって当該前側部３１１に沿って上後方へと導かれる。その後、選別風は、風路体３００の上後部に配置された支持部材５４ａおよび前フィードパン５４に沿って前記揺動選別装置５０のチャフシーブ５６に向かって導かれる。
【０１１２】
このように、第一実施形態に記載のプレファンユニット１００の代わりに、風路体３００を下側機枠９１に取り付けた際には、唐箕ファン５１による選別風の一部を利用して、プレファンユニット１００を取り付けた場合における唐箕ファン５１からの選別風の風路とは別に、新たな風路が形成されることとなる。
【０１１３】
次に、風路体３００の取り外し方法について説明する。
この取り外し方法は、前記取り付け方法の逆の手順である。つまり、作業者は、下側機枠９１と風路体３００とを締結しているボルトを全て外す。さらに、作業者は、レール１６をレール受１７上で左方向に摺動させ、風路体３００を機体外方へ移動させる。そして、作業者は、レール１６をレール受１７から分離させる。これにより、風路体３００が下側機枠９１（機体側）から完全に取り外された状態となる。
また、風路体３００に代えて、第一実施形態に記載のプレファンユニット１００を取り付ける場合、左下側機枠９１の開口部から閉塞板５１ｈを挿入し、当該閉塞板５１ｈを保持部材５１ｇ・５１ｇに沿って右下側機枠９１に当接するまで右方へ摺動させることで、再び前吐出口５１ｆを閉塞する。
【０１１４】
以上の如く、本実施形態のコンバイン１の選別部５は、脱穀後の処理物を揺動選別する揺動選別装置５０と、前記揺動選別装置５０による揺動選別後の処理物を風選別する風選別装置とを備え、前記揺動選別装置５０および前記風選別装置を機体フレーム９上の下側機枠９１に取り付けるコンバイン１の選別部５であって、前記揺動選別後の処理物に選別風を供給するプレファン５２、及び当該プレファン５２を回転自在に支持してその一部を被覆するプレファンケース１０・２１０をユニット化したプレファンユニット１００（２００）を、前記風選別装置に備え、前記プレファンユニット１００（２００）を前記下側機枠９１に着脱可能としたものである。
【０１１５】
このように構成することにより、プレファンユニット１００（２００）のメンテナンスや交換などを行う際に、プレファン５２の下側機枠９１への着脱作業を容易に行うことが可能となる。したがって、組立性及びメンテナンス性の向上を図ることができる。また、プレファン５２を下側機枠９１から容易に取り外して、プレファン５２のみの機能追加や変更等を容易に行うことが可能となる。したがって、機能追加や変更等を行う際の作業性の向上を図ることができる。
【０１１６】
また、本実施形態のコンバイン１の選別部５は、前記揺動選別後の処理物に選別風を供給する唐箕ファン５１を、前記風選別装置に備え、前記プレファンユニット１００（２００）を前記唐箕ファン５１の前方に位置する前記下側機枠９１に当該下側機枠９１の側方から着脱可能としたものである。
このように構成することにより、プレファンユニット１００（２００）の下側機枠９１への着脱作業を機体側方から行うことが可能となる。したがって、プレファンユニット１００（２００）の下側機枠９１への着脱性の向上を図ることができる。
【０１１７】
また、本実施形態のコンバイン１の選別部５は、前記唐箕ファン５１の選別風の風路を形成する風路体３００を、前記プレファンユニット１００の代わりに、前記下側機枠９１に着脱可能としたものである。
このように構成することにより、プレファンユニット１００と風路体３００とを選別時の必要に応じて交換することが可能となる。したがって、プレファン５２に関する風選別装置の仕様変更を容易に行うことが可能となる。
【符号の説明】
【０１１８】
１      コンバイン
５      選別部
１０    プレファンケース
５０    揺動選別装置
５１    唐箕ファン
５２    プレファン
９１    下側機枠
１００  プレファンユニット
２００  プレファンユニット
２１０  プレファンケース
３００  風路体
【図１】
2011041506.tif 000003
【図２】
2011041506.tif 000004
【図３】
2011041506.tif 000005
【図４】
2011041506.tif 000006
【図５】
2011041506.tif 000007
【図６】
2011041506.tif 000008
【図７】
2011041506.tif 000009
【図８】
2011041506.tif 000010
【図９】
2011041506.tif 000011
【図１０】
2011041506.tif 000012
【図１１】
2011041506.tif 000013
【図１２】
2011041506.tif 000014
【図１３】
2011041506.tif 000015
【図１４】
2011041506.tif 000016
【図１５】
2011041506.tif 000017
【図１６】
2011041506.tif 000018